(57)【要約】【課題】７２０Ｐシステムとの信号の形態の互換性を保ちつつ、１本の同軸ケーブルにて輝度色差信号とＲＧＢ原色信号の双方の伝送を可能とする伝送システムを提供する。【解決手段】送信装置（１００）は、毎秒２４フレームのＲＧＢ形式の信号である第１の映像信号を入力し、入力した第１の映像信号から、輝度信号および色差信号からなる第２の映像信号を生成する生成手段（１）と、第１の映像信号と第２の映像信号を多重化する多重化手段（７）と、多重化した映像信号を毎秒６０フレームの映像信号形式で出力する出力手段（１１）とを有する。受信装置は、送信装置から入力した映像信号から、第１の映像信号と第２の映像信号を分離し、第１の映像信号を毎秒２４フレームのＲＧＢ形式の映像信号として出力し、第２の映像信号を毎秒２４フレームの輝度信号および色差信号として出力する。【選択図】図１
2009010722.tif 000002
【特許請求の範囲】
【請求項１】
送信装置と受信装置を含むデータ伝送システムであって、
（ａ）前記送信装置は、
毎秒２４フレームのＲＧＢ形式の信号である第１の映像信号を入力する入力手段と、
前記入力した第１の映像信号から、輝度信号および色差信号からなる第２の映像信号を生成する生成手段と、
前記第１の映像信号および前記第２の映像信号を多重化する多重化手段と、
多重化した映像信号を毎秒６０フレームの映像信号形式で出力する出力手段とを有し、
（ｂ）前記受信装置は、
前記送信装置から映像信号を入力する入力手段と、
前記入力した映像信号から前記第１の映像信号と前記第２の映像信号を分離する分離手段と、
前記第１の映像信号を毎秒２４フレームのＲＧＢ形式の映像信号として出力し、前記第２の映像信号を毎秒２４フレームの輝度信号および色差信号として出力する出力手段とを有する、
ことを特徴とするデータ伝送システム。
【請求項２】
前記生成手段は、前記第１の映像信号から、前記第１の映像信号のデータ量の２／３のデータ量を有する第２の映像信号を生成する、ことを特徴とする請求項１記載のデータ伝送システム。
【請求項３】
前記送信装置はさらに前記第１の映像信号に対して所定の補正を行う補正手段を備え、
前記生成手段は、前記補正手段の出力信号から、前記第１の映像信号のデータ量の２／３のデータ量を有する第２の映像信号を生成する、
ことを特徴とする請求項１記載のデータ伝送システム。
【請求項４】
前記補正手段は階調補正を行うことを特徴とする請求項３記載のデータ伝送システム。
【請求項５】
前記送信装置は、フレーム毎に映像信号の種類を示すフラグ情報を映像信号のタイムコード情報に挿入し、
前記受信装置は、前記フラグ情報に応じて前記第１の映像信号と前記第２の映像信号を分離する、
ことを特徴とする請求項１記載のデータ伝送システム。
【請求項６】
各フレームにおける有効ライン数が７２０ラインであることを特徴とする請求項１記載のデータ伝送システム。
【請求項７】
前記第１及び第２の映像信号が順次走査方式の映像信号であることを特徴とする請求項１記載のデータ伝送システム。
【請求項８】
毎秒２４フレームのＲＧＢ形式の信号である第１の映像信号を入力する入力手段と、
前記入力した第１の映像信号から、輝度信号および色差信号からなる第２の映像信号を生成する生成手段と、
前記第１の映像信号および前記第２の映像信号を多重化する多重化手段と、
多重化した映像信号を毎秒６０フレームの映像信号形式で出力する出力手段と
を有することを特徴とするデータ送信装置。
【請求項９】
送信装置から、毎秒２４フレームのＲＧＢ形式の信号である第１の映像信号と輝度信号および色差信号からなる第２の映像信号とが多重化された映像信号を入力する入力手段と、
入力した映像信号から前記第１の映像信号と前記第２の映像信号を分離する分離手段と、
前記第１の映像信号を毎秒２４フレームのＲＧＢ形式の映像信号として出力し、前記第２の映像信号を毎秒２４フレームの輝度信号および色差信号として出力する出力手段と
を有することを特徴とするデータ受信装置。
【請求項１０】
毎秒２４フレームのＲＧＢ形式である第１の映像信号と、輝度信号および色差信号からなる第２の映像信号とを多重化するステップと、
多重化した映像信号を毎秒６０フレームの映像信号形式で伝送するステップと、
前記伝送された映像信号を受信するステップと、
前記受信した映像信号から、前記第１の映像信号と前記第２の映像信号を分離するステップと
を含むことを特徴とするデータ伝送方法。
【請求項１１】
前記第１の映像信号から、前記第１の映像信号のデータ量の２／３のデータ量を有する前記第２の映像信号を生成するステップをさらに備えたことを特徴とする請求項１０記載のデータ伝送方法。
【請求項１２】
前記第１の映像信号を階調補正するステップと、
前記第１の映像信号から、前記第１の映像信号のデータ量の２／３のデータ量を有する前記第２の映像信号を生成するステップと
をさらに備えたことを特徴とする請求項１０記載のデータ伝送方法。
【請求項１３】
フレーム毎に映像信号の種類を示すフラグ情報を映像信号のタイムコード情報に挿入して伝送するステップと、
前記フラグ情報に応じて前記第１の映像信号と前記第２の映像信号を分離するステップと
をさらに備えたことを特徴とする請求項１０記載のデータ伝送方法。
【請求項１４】
各フレームにおける有効ライン数が７２０ラインであることを特徴とする請求項１０記載のデータ伝送方法。
【発明の詳細な説明】
【技術分野】
【０００１】
本発明は、映像信号のデータ伝送システム及び方法に関し、特にＲＧＢ信号と輝度色差信号とを同時に伝送するための技術に関する。
【背景技術】
【０００２】
近年、ＨＤ（High Definition）放送機器の性能向上により、従来はフィルムを用いていた映画撮影においても、ビデオカメラを使用した撮影が増えてきている。特に、プログレシブ走査方式（以下、「Ｐ」と表す）、すわなち、順次走査方式の映像信号は、インターレース走査方式（以下、「ｉ」と表す）と比較して、フィルムの質感に近く、映画撮影に適している。
【０００３】
なお、テレビ方式のフィールド周波数が６０Ｈｚや５０Ｈｚであるのに対して、映画のフレーム周波数は２４Ｈｚである。そこで、映画制作を目的としたビデオカメラの撮影においては、「２４Ｐ」と呼ばれる、フレーム周波数２４Ｈｚのプログレシブ走査方式が用いられる事が多い。
【０００４】
現在、ＨＤ映像方式の規格としては、有効走査線数１０８０本の方式としてＳＭＰＴＥ  ２７４Ｍが、有効走査線数７２０本の方式としてＳＭＰＴＥ  ２９６Ｍが、それぞれ規格化されており、この双方において、上述の２４Ｐ方式が含まれている。
【０００５】
なお、最近の映画制作では、コンピュータ・グラフィックス（ＣＧ）処理や、画像加工がよく行われるので、これらの画像処理に向いた４：４：４形式のＲＧＢ信号の信号形態が好まれる事が多い。ここで、４：４：４形式とは、ＲＧＢ信号における３つの映像信号が等しい信号帯域を持つことを表している。
【０００６】
一方、テレビ制作では、信号の形態として輝度信号と二つの色差信号による、いわゆるＹＰｂＰｒ信号が用いられる事が多く、また色差信号の信号帯域を輝度信号の信号帯域の１／２とする４：２：２形式を採る事が多い。
【０００７】
ここで、機器と機器をつなぐ信号の伝送方式としては、現在ではディジタル映像信号を１ビットにシリアル変換して一本の同軸ケーブルで接続する、いわゆるシリアル・ディジタル・インターフェイスが一般的となっている。ＨＤ映像方式でのシリアル・ディジタル・インターフェイスとしては、まず４：２：２形式の輝度色差信号に対してＳＭＰＴＥ  ２９２Ｍといった規格化が行われている。
【０００８】
次に、４：４：４形式の映像信号に対するシリアル・ディジタル・インターフェイスとしては、１０８０Ｐ方式ではＳＭＰＴＥ  ３７２Ｍにおいて、同軸ケーブルを２本使用する、いわゆるデュアルリンクの規格が規定されている。
【０００９】
７２０Ｐ方式では、４：４：４形式のシリアル・ディジタル・インターフェイスの規格はまだ規定されていないが、上記のＳＭＰＴＥ  ３７２Ｍの考え方と類似した、同軸ケーブルを２本使用する方法として、例えば特許文献１に示す方法が提案されている。
【００１０】
一方、１０８０信号に７２０Ｐ信号を割り当てる一手法として特許文献２に開示の方法がある。
【００１１】
４：２：２形式の輝度色差信号から４：４：４形式のＲＧＢ原色信号を演算にて生成することも可能だが、色差信号はその信号帯域を輝度信号の１／２に制限しているため、ＲＧＢ信号にて４：４：４の信号帯域を有するとは言い難い。また、１０ビットといった有限ビット長で伝送するために、マトリクス変換における演算誤差が発生する。
【特許文献１】特開２００２−３２０２４５号公報
【特許文献２】特開２００４−１６６０５９号公報
【発明の開示】
【発明が解決しようとする課題】
【００１２】
しかしながら上記特許文献１のような技術においては、ビットレートが１．４８５Ｇｂｐｓのシリアル信号を２本、すなわち通常のＨＤ方式の２倍のデータ伝送が必要となる。これは、ＳＭＰＴＥ  ３７２Ｍに規定されたデュアルリンクと同じく、２本の同軸ケーブルを使用する方法であり、従来の１．４８５Ｇｂｐｓ伝送系が二つ必要となる。
【００１３】
また、上記特許文献２のような技術においては、１０８０方式の信号形態を前提としており、従来の７２０Ｐシステムとは互換性がなく、不便である。
【００１４】
本発明は、上述の課題を解決するためになされたものであり、その目的とするところは、従来の７２０Ｐシステムとの信号の形態の互換性を保ちつつ、１本の同軸ケーブルにて輝度色差信号とＲＧＢ原色信号の双方の伝送を可能とする伝送方法及び伝送システムを提供することにある。
【課題を解決するための手段】
【００１５】
本発明の第１の態様において、送信装置と受信装置を含むデータ伝送システムが提供される。送信装置は、毎秒２４フレームのＲＧＢ形式の信号である第１の映像信号を入力する入力手段と、入力した第１の映像信号から、輝度信号および色差信号からなる第２の映像信号を生成する生成手段と、第１の映像信号および第２の映像信号を多重化する多重化手段と、多重化した映像信号を毎秒６０フレームの映像信号形式で出力する出力手段とを有する。受信装置は、送信装置から映像信号を入力する入力手段と、入力した映像信号から第１の映像信号と第２の映像信号を分離する分離手段と、第１の映像信号を毎秒２４フレームのＲＧＢ形式の映像信号として出力し、第２の映像信号を毎秒２４フレームの輝度信号および色差信号として出力する出力手段とを有する。
【００１６】
本発明の第２の態様において、データ送信装置が提供される。データ送信装置は、毎秒２４フレームのＲＧＢ形式の信号である第１の映像信号を入力する入力手段と、入力した第１の映像信号から、輝度信号および色差信号からなる第２の映像信号を生成する生成手段と、第１の映像信号および第２の映像信号を多重化する多重化手段と、多重化した映像信号を毎秒６０フレームの映像信号形式で出力する出力手段とを有する。
【００１７】
本発明の第３の態様において、データ受信装置が提供される。データ受信装置は、送信装置から、毎秒２４フレームのＲＧＢ形式の信号である第１の映像信号と輝度信号および色差信号からなる第２の映像信号とが多重化された映像信号を入力する入力手段と、入力した映像信号から第１の映像信号と第２の映像信号を分離する分離手段と、第１の映像信号を毎秒２４フレームのＲＧＢ形式の映像信号として出力し、第２の映像信号を毎秒２４フレームの輝度信号および色差信号として出力する出力手段とを有する。
【００１８】
本発明の第４の態様において、データ伝送方法が提供される。データ伝送方法は、毎秒２４フレームのＲＧＢ形式である第１の映像信号と、輝度信号および色差信号からなる第２の映像信号とを多重化するステップと、多重化した映像信号を毎秒６０フレームの映像信号形式で伝送するステップと、伝送された映像信号を受信するステップと、受信した映像信号から、第１の映像信号と第２の映像信号を分離するステップとを含む。
【発明の効果】
【００１９】
本発明によれば、従来の７２０／６０Ｐの信号形態を用いて、１本の同軸ケーブルにて７２０／２４Ｐフォーマットの輝度色差信号とＲＧＢ形式の映像信号とを同時に送信することができる。
【発明を実施するための最良の形態】
【００２０】
以下、本発明の実施の形態について、添付の図面を用いて説明する。
【００２１】
（実施の形態１）
１．データ送信装置
図１は本発明の実施の形態１におけるデータ送信装置の構成を示すブロック図である。データ送信装置１００は、ＲＧＢ形式の映像信号（以下「ＲＧＢ原色信号」と呼ぶ。）を輝度色差信号に変換するマトリクス変換回路１と、輝度色差信号の帯域を制限する帯域制限回路２と、色差信号を多重化する多重回路３と、輝度色差信号を格納するメモリ４とを備える。また、データ送信装置１００は、入力端子１０に接続され、ＲＧＢ形式の映像信号を格納するメモリ５と、メモリ４およびメモリ５を制御する制御回路６とを備える。さらに、データ送信装置１００は、メモリ４とメモリ５のいずれかの出力を選択するセレクタ７と、２０ビットの信号を１０ビット信号に多重化するワード多重回路８と、パラレル信号をシリアル信号に変換するパラレル・シリアル（Ｐ／Ｓ）変換回路９とを備える。
【００２２】
以上の構成を有するデータ送信装置１００の動作を説明する。
データ送信装置１００は入力端子１０を介して映像信号であるディジタルデータＤＶＩを入力する。ディジタルデータＤＶＩは、ＲＧＢ４：４：４形式の７２０Ｐディジタル信号であり、有効ライン数が７２０ライン、有効データサンプル数が１２８０サンプル、そしてフレームレートが２４Ｈｚである。なお、各サンプルのビット数は１０ビットとする。
【００２３】
図２（ａ）に、ディジタルデータＤＶＩの構成を示す。同図に示すように、１つのサンプルはＲＧＢ各色について１０ビットデータからなる。１ラインは１２８０個の有効サンプルからなっている。７２０ライン分のサンプルから１フレームのディジタル信号が構成される。
【００２４】
図３はデータ送信装置１００各部の信号を示した図である。図３（ａ）はデータ送信装置１００の入力端子１０に入力されるＲＧＢ形式の映像信号を示す。図３（ｂ）はメモリ４に書き込まれる映像信号を示す。図３（ｃ）はメモリ４から出力される映像信号を示す。図３（ｄ）はメモリ５から出力される映像信号を示す。図３（ｅ）はセレクタ７から出力される映像信号を示す。
【００２５】
図１に戻り、入力されたＲＧＢ４：４：４形式のディジタルデータＤＶＩは、マトリクス変換回路１により、所定の係数にてマトリクス演算が施され、ＲＧＢ３原色の映像信号から、輝度信号（Ｙ信号）および色差信号（Ｐｂ信号、Ｐｒ信号）に変換される。このうち、色差信号については、帯域制限回路２により、輝度信号の１／２にその信号帯域を制限される。以下、この帯域制限された色差信号を「Ｃｂ信号」、「Ｃｒ信号」と呼ぶ。
【００２６】
Ｃｂ信号、Ｃｒ信号は、多重回路３において、そのサンプル数が１／２に間引きされ、さらにＣｂ信号とＣｒ信号を時間的に多重化されて一つのデータ列となる。これを「Ｃｂ／Ｃｒ信号」と表現する。すなわち、色差信号ＣｂとＣｒは各々１ラインのサンプルが６４０個となり、図２（ｂ）に示すようなディジタル信号となる。この多重回路３の出力信号のＹ信号およびＣｂ／Ｃｒ信号は、メモリ４において、制御回路６により必要な時間調整を行われた後、セレクタ７の端子ａへと入力される。
【００２７】
また、入力されたディジタルデータＤＶＩは、ＲＧＢ４：４：４形式のまま、メモリ５に入力され、書き込まれる。そして、制御回路６により、チャンネルが選択されて出力される。すなわち、Ｇ＃０、Ｂ＃０、Ｒ＃０の１フレームのディジタル信号が、図３（ａ）に示すようにメモリ５に書き込まれ、その後、メモリ５から、図３（ｄ）のように２チャンネルずつ読み出される。例えば、フレームｆ１においては、Ｇ＃０、Ｂ＃０のみが出力され、フレームｆ２において次の１フレームのディジタル信号Ｇ＃１、Ｂ＃１、Ｒ＃１が書き込まれる。さらに、フレームｆ３において、先ほどの残りのデータＲ＃０と、Ｇ＃１がメモリ５から出力され、フレームｆ４において、Ｂ＃１、Ｒ＃１がメモリ５から出力される。
【００２８】
セレクタ７は、フレームｆ０、ｆ２では端子ａを選択し、フレームｆ１、ｆ３、ｆ４では端子ｂを選択する。その結果、セレクタ７の出力信号は図３（ｅ）に示すように、輝度色差信号とＲＧＢ原色信号が時間的に多重された信号となる。
【００２９】
セレクタ７の出力信号はワード多重回路８に入力される。ワード多重回路８は、２０ビットの信号を１０ビット信号に多重化する。パラレル・シリアル（Ｐ／Ｓ）変換回路９は、１０ビットのパラレル信号を１ビットのシリアル信号に変換する。１ビットのシリアル信号は出力端子１１から出力される。
【００３０】
以上のようにして、本実施形態のデータ送信装置１００は、ＲＧＢ原色信号を入力し、この入力した信号から、ＲＧＢ原色信号と輝度色差信号とを多重化した映像信号を生成し、出力する。
【００３１】
なお、本実施形態のデータ送信装置１００は、データ受信装置にて映像信号の種類が判別できるようにするために、フレーム毎に、映像信号の種類（すなわち映像信号が輝度色差信号であること）を示すフラグ情報を付与する。このフラグ情報を送る方法としては、例えば特開２００３−１５３０５４号公報に開示された方法がある。すなわち、タイムコードにおけるユーザーズビットを使用して、有効フレームについてはフラグ値「１」を伝送する。このユーザーズビットの情報は、送信装置において記録するだけではなく、シリアル・ディジタル・インターフェイス信号において映像信号と多重して伝送することも可能である（特開２００３−１５３０５４号公報の実施の形態５参照）。また、ＲＧＢ原色信号の分離においては、その信号がＲＧＢのどの信号かを知る必要がある。この場合、例えば、ＲＧＢ各色の組合せに対応してフラグ値を割り当てればよい。例えば、Ｇ／Ｂ、Ｒ／Ｇ、Ｂ／Ｒの各組合せに対して、「２」、「３」、「４」を割り当てればよい。上記フラグ情報は、制御回路６によりワード多重回路８にて付与される。
【００３２】
２．データ受信装置
データ送信装置１００から映像信号を受信するデータ受信装置について説明する。データ受信装置はデータ送信装置１００とともにデータ伝送システムを構成する。
【００３３】
図４にデータ受信装置の構成を示す。データ受信装置２００は、シリアル信号をパラレル信号に変換するシリアル・パラレル変換回路２１と、ディジタル信号を分離するワード分離回路２２と、フレーム毎に映像信号の種類を判別するフレーム判別回路２３とを備える。さらに、データ受信装置２００は、輝度色差信号を格納するメモリ２５と、ＲＧＢ原色信号を格納するメモリ２６と、ゲートスイッチ２５ｂ、２６ｂと、メモリ２５とゲートスイッチ２５ｂを制御する制御回路２４と、メモリ２６とゲートスイッチ２６ｂを制御する制御回路２７とを備える。
【００３４】
図５はデータ受信装置の各部における信号を示した図である。図５（ａ）は入力端子２０を介してデータ受信装置２００に入力される映像信号を示す。図５（ｂ）はフレーム判別回路２３の出力信号波形を示す。図５（ｃ）はメモリ２５に対する入力信号を示す。図５（ｄ）はメモリ２５からの出力信号（輝度色差信号）を示す。図５（ｅ）はメモリ２６に対する入力信号を示す。図５（ｆ）はメモリ２６からの出力信号（ＲＧＢ原色信号）を示す。
【００３５】
データ受信装置２００は入力端子２０を介して、ＲＧＢ原色信号と輝度色差信号が多重化された映像信号をシリアル信号として受信する。受信した映像信号はシリアル・パラレル（Ｓ／Ｐ）変換回路２１により、まず１０ビットのパラレル信号に変換される。その後、１０ビットのパラレル信号は、ワード分離回路２２によりさらに二つの１０ビットのディジタル信号に分離される。
【００３６】
フレーム判別回路２３は、フレーム毎に、分離されたディジタル信号に含まれるフラグ情報に基づき、分離されたディジタル信号の種類が輝度色差信号及びＲＧＢ原色信号のいずれであるかを判別する。フレーム判別回路２３は、分離されたディジタル信号の種類が輝度色差信号であるときは、出力信号のレベルを「１」にし、ＲＧＢ原色信号であるときは「０」にする（図５（ｂ）参照）。フレーム判別回路２３の出力信号は制御回路２４，２７へ送られる。
【００３７】
制御回路２４は輝度色差信号の抽出に関する制御を行う。図５（ｂ）に示すフレーム判別回路２３の出力信号の「１」の期間が、輝度色差信号が存在する期間である。制御回路２４はフレーム判別回路２３の出力信号に基づき、輝度色差信号だけをメモリ２５に書き込むようゲートスイッチ２５ｂを制御する。図５（ｃ）に、メモリ２５に書き込まれる輝度色差信号の波形を示す。さらに、制御回路２４は、メモリ２５から輝度色差信号を読み出し、信号の形態を２：３プルダウンした７２０／６０Ｐの信号として出力端子３０から出力する。すなわち、図５（ｃ）に示すような本来毎秒２４フレームの有効フレーム数に対して、図５（ｄ）に示すように同じフレームを２枚、３枚というように毎秒計６０フレームにして出力する。このように出力信号を７２０／６０Ｐの信号形態にすることにより、モニタで見るときにフリッカのない映像となり、また種々の映像機器に対応できる。
【００３８】
制御回路２７は、ＲＧＢ原色信号の抽出に関する制御を行う。図５（ｂ）に示すフレーム判別回路２３の出力信号の「０」の期間が、ＲＧＢ原色信号が存在する期間である。制御回路２７は、フレーム判別回路２３の出力信号に基づき、ＲＧＢ原色信号だけをメモリ２６に書き込むようゲートスイッチ２６ｂを制御する。図５（ｅ）に、メモリ２６に書き込まれるＲＧＢ原色信号の波形を示す。さらに、制御回路２７は、各色のタイミングを合わせてＲＧＢメモリ２６からＲＧＢ原色信号を読み出し、出力端子３１から出力する。図５（ｆ）にメモリ２６から出力されるＲＧＢ原色信号の波形を示す。同図に示すように２４フレームの原色信号の形で出力される。
【００３９】
以上のようにして、データ受信装置２００は、ＲＧＢ形式の映像信号と輝度色差信号とを多重化した映像信号を入力し、入力した映像信号から、ＲＧＢ形式の映像信号と輝度色差信号とを分離し、それぞれ出力する。なお、データ受信装置２００から出力されるＲＧＢ形式の映像信号は映像編集等の用途に使用され、輝度色差信号はモニタ表示用等の用途に使用される。このように、本実施形態のデータ伝送システムによれば、従来の７２０Ｐシステムとの信号の形態の互換性を保ちつつ、１本の同軸ケーブルにて７２０／２４Ｐフォーマットの輝度色差信号とＲＧＢ形式の映像信号の双方の伝送を可能とする。
【００４０】
（実施の形態２）
本発明に係る撮像装置の実施の形態について説明する。図６に撮像装置の構成を示す。撮像装置３００は、映像を撮像する撮像部５０と、映像信号の階調変換を行う階調変換回路１２と、ＲＧＢ原色信号を受け、ＲＧＢ原色信号と輝度色差信号とを多重化した映像信号を生成して出力するデータ伝送部１５０とを有する。データ伝送部１５０の構成、動作は、実施の形態１のデータ送信装置１００の構成、動作と同じである。本実施形態の撮像装置３００は、映画制作用に好適な撮像装置である。
【００４１】
図７は、ビデオ撮影とフィルム撮影における階調特性を示した図である。なお、この特性はガンマ特性とも呼ばれる。テレビ制作に用いられるビデオ撮影では、図７（ａ）に示すような特性を使用することが多い。ここで１００％の信号レベルは基準となる白レベルである。放送用に用いられるビデオカメラの飽和レベルは６００％程度である。信号の高輝度領域では、その階調が圧縮され、出力信号レベルの最大値は１０９％に制限される。
【００４２】
一方、映画制作時のフィルム撮影では、図７（ｂ）に示すような特性を使用することが多い。これは、カメラが処理可能な入射光量の範囲、すなわちダイナミックレンジをすべて使用するためである。
【００４３】
本実施形態の撮像装置３００は、映画制作用に好適な撮像装置であるため、撮像部５０は、図７（ｂ）に示すようなフィルムライクな特性でＲＧＢ原色信号を生成する。この映像信号は直接的にまたは階調変換回路１２を介してデータ伝送部１５０に入力される。
【００４４】
階調変換回路１２は、入力した映像信号の階調特性を図７（ｂ）に示す特性から図７（ａ）に示す特性に変換する。階調変換回路１２により特性が変換された映像信号はマトリクス変換回路１に入力される。その後の処理は実施の形態１で示したものと同様である。
【００４５】
上記の撮像装置により、本来の映像編集に用いるＲＧＢ原色信号とモニタ表示用の輝度色差信号において、それらの信号の階調特性を異ならせることができる。このため、本来の用途に必要な映像信号の特性としてはフィルムライクなガンマ特性を確保しつつ、モニタ表示用として適切な映像信号をも得ることができる。
【００４６】
なお、映像信号に対して補正を行う補正手段として、本実施の形態では、階調変換回路１２の場合を示したが、例えば映像の輪郭を強調する輪郭強調回路を用いてもよい。この場合、輝度色差信号を撮影時のモニタ信号として使用すると、フォーカスを合わせる事が容易になる、という効果が期待できる。
【００４７】
なお、上述の実施の形態では、７２０Ｐ信号の例で説明したが、映像信号フォーマットは特に限定されず、例えば１０８０Ｐ信号で実施することも可能である。また、毎秒６０フレーム、毎秒２４フレームの代わりに、毎秒６０／１．００１フレーム、毎秒２４／１．００１フレームであっても構わない。
【００４８】
さらに、毎秒２４フレームの映像信号を毎秒６０フレームの信号形式にて伝送する例で説明したが、例えば、毎秒４８フレームの映像信号を毎秒１２０フレームの信号形式にて伝送することも可能である。
【産業上の利用可能性】
【００４９】
本発明にかかるデータ伝送システムおよび方法は、従来の伝送装置を使用してＲＧＢ原色信号と輝度色差信号とを併せて伝送するシステムに有用である。
【図面の簡単な説明】
【００５０】
【図１】本発明の実施の形態１におけるデータ送信装置の構成を示すブロック図
【図２】ディジタル映像信号の構成を示す図。
【図３】本発明の実施の形態１におけるデータ送信装置各部の映像信号を示す図
【図４】本発明の実施の形態１におけるデータ受信装置の構成を示すブロック図
【図５】本発明の実施の形態１におけるデータ受信装置各部の映像信号を示す図
【図６】本発明の実施の形態２における撮像装置の構成を示すブロック図
【図７】ビデオ撮影とフィルム撮影における階調特性を示した図
【符号の説明】
【００５１】
１  マトリクス変換回路
２  帯域制限回路
３  多重回路
４、５、２５、２６  メモリ
６、２４、２７  制御回路
７  セレクタ
８  ワード多重回路
９  パラレル・シリアル変換回路
１０、２０  入力端子
１１、３０、３１  出力端子
１２  階調変換回路
２１  シリアル・パラレル変換回路
２２  ワード分離回路
２３  フレーム判別回路
５０  撮像部
１００  データ送信装置
１５０  データ伝送部
２００  データ受信装置
３００  撮像装置
【図１】
2009010722.tif 000003
【図２】
2009010722.tif 000004
【図３】
2009010722.tif 000005
【図４】
2009010722.tif 000006
【図５】
2009010722.tif 000007
【図６】
2009010722.tif 000008
【図７】
2009010722.tif 000009